(57)【要約】【課題】簡単な操作でコンクリート二次製品に着脱することができ、かつ、これらコンクリート二次製品にダメージを与えることなく、狭い設置面積でも安全に設置することができる吊り治具を提供する。【解決手段】吊り部２６を吊り部本体１６の下側に位置決めすると、係合部４０が回転止め３０ａに係合してシャフト１８の中心軸とロック部材２２の中心軸とが同軸となり、逆に、吊り部２６を上側に位置決めすると、シャフト１８の中心軸とロック部材２２の中心軸とが略直交するので、吊り部２６の向きを変えるだけで、吊り治具１０をフリューム１４に設けられた開孔１４ｂに着脱することができる。また、吊り部本体１６の突き当て部２４とロック部材２２の側面とでフリューム１４の側壁１４ａを挾持し、雄ネジ部３２に規制ナット２０を螺合して吊り部本体１６とロック部材２２の位置を固定しているので、コンクリート二次製品を吊り上げた際に、開孔から吊り治具１０が脱落するのを防止でき、コンクリート二次製品の破損を防止することができる。【選択図】        図２
2004352420.tif 000002
【特許請求の範囲】
【請求項１】
コンクリート製のフリュームなどを吊り上げる際に、該フリュームなどの側壁に穿設された開孔に挿入して使用する吊り治具であって、
（ａ）筒状のケーシングと、前記ケーシングの長手方向一端に設けられ前記フリュームに当接する板状の突き当て部と、前記ケーシングの外周面に立設され吊環が形成された吊り部と、前記ケーシングの長手方向に沿って形成されたガイド長孔とを有する吊り部本体、
（ｂ）前記吊り部本体内に進退可能に挿通され、前記開孔に挿入される挿入側先端部に枢着軸にて回転可能に枢着されたロック部材と、長手方向中央部から後部方向に螺設された雄ネジ部と、前記ガイド長孔にスライド可能にて係合するピンとを有するシャフト、および
（ｃ）前記雄ネジに螺合して、前記フリュームをロック部材と突き当て部にて挾持した時に前記吊り部本体の緩み方向への変位を規制する規制ナットを具備し、
（ｄ）前記ロック部材は、枢着軸より先端側の部分の重量が枢着軸より後端側の部分の重量より重く形成され、且つ前記ロック部材が前記シャフトに対して同軸方向となった時に前記ロック部材の後端が前記シャフトに設けられた回転止めに係合して一方向の回転が規制される係合部が設けられていることを特徴とする吊り治具。
【発明の詳細な説明】
【０００１】
【発明の属する技術分野】
本発明は、フリュームなどのコンクリート二次製品をクレーンなどの吊り上げ手段で吊り上げて所定の場所へ移動させる際に使用する吊り治具に関するものである。
【０００２】
【従来の技術】
用水路や排水路として使用されるＦＴフリュームやＵ型フリュームなどのコンクリート製のフリューム（１）は、所定形状の型枠内にコンクリートを流し込むことによって形成されたコンクリート二次製品であり、図１０に示すように、上面が開放されて幅方向断面がＵ字状に形成されるとともに、その対向する側壁（１ａ）の所定位置には、これを吊り上げる際に使用する複数の開孔（１ｂ）が設けられている。
【０００３】
従来より、このフリューム（１）を吊り上げて、溝（２）が設けられた所定の現場に設置する際には、一端に雄ネジ（３ａ）が螺設され、他端に環部（３ｂ）が形成された吊り治具（３）を、フリューム（１）の側壁（１ａ）の開孔（１ｂ）の内側から挿入するとともに、開孔（１ｂ）の外側に位置決めされた雄ネジ（３ａ）にナット（４）を螺合することによって吊り治具（３）を側壁（１ａ）に固定し、側壁（１ａ）に固着された吊り治具（３）の環部（３ｂ）にワイヤーロープ（５）などを玉掛けして図示しないクレーンなどの吊り上げ手段で吊り上げていた。そして、フリューム（１）が溝（２）の中に収められると、ナット（４）を外して吊り治具（３）を開孔（１ｂ）から取り外すようにしていた。
【０００４】
この際、溝（２）の幅がフリューム（１）の幅よりも十分に大きく、溝（２）の側面とフリューム（１）の側壁（１ａ）との間に十分な距離がある場合や、地表から溝（２）に設置されたフリューム（１）の開孔（１ｂ）までの深さが浅い場合には何ら問題はないが、溝（２）の側面とフリューム（１）の側壁（１ａ）との間に十分な距離がない場合や、地表から溝（２）内に設置されたフリューム（１）の開孔（１ｂ）までの深さが深い場合には、溝（２）の側面とフリューム（１）の側壁（１ａ）との間に作業者が手を差し込んで吊り治具（３）を固定しているナット（４）を取り外すのが困難となり、最悪の場合には吊り治具（３）を切断して取り外さなければならないという問題があった。
【０００５】
この問題を解決し得る技術として、図１１に示すように、先端部分に係止部（１０１ａ）が形成された軸芯部（１０１）と、該軸芯部（１０１）の長手方向一端部に設けられ前記開孔（１ｂ）の内径より大きい外径の当て板（１０２ａ）を有するシャックル取付部（１０２）と、該シャックル取付部（１０２）に取り付けられたシャックル（１０３）とを具備する吊り治具（１０４）を用い、前記軸芯部（１０１）を開孔（１ｂ）に挿通させた状態でシャックル（１０３）を上昇させて係止部（１０１ａ）を開孔（１ｂ）の外側端縁に係止させるとともに、前記当て板（１０２ａ）を側壁（１ａ）に突き当ててフリューム（１）を吊り上げる技術（例えば、特許文献１参照。）や、図１２に示すように、ワイヤー結合部（１０５）が形成された一対の治具本体（１０６）と支梁（１０７）とを有する吊り治具（１０８）を用い、治具本体（１０６）のそれぞれを対向する開孔（１ｂ）に側壁（１ａ）の内側から挿通するとともに、各治具本体（１０６）に架け渡された支梁（１０７）によって各治具本体（１０６）が開孔（１ｂ）から外れないように支持する技術（例えば、特許文献２参照。）が知られている。
【０００６】
これらの技術では、溝（２）の側面とフリューム（１）の側壁（１ａ）との間の距離や、地表から溝（２）に設置されたフリューム（１）の開孔（１ｂ）までの深さに関係なく、開孔（１ｂ）に吊り治具（１０４）および（１０８）を着脱することができる。
【０００７】
しかしながら、前者の技術では、フリューム（１）に吊り治具（１０４）を取り付けてこれを吊り上げた際に、係止部（１０１ａ）と開孔（１ｂ）外側端縁との係止部分および当て板（１０２ａ）と側壁（１ａ）との突き当て部分に応力が集中し、これらの部分にクラックが発生する場合があるという問題があった。
【０００８】
一方、後者の技術では、吊り上げるフリューム（１）の幅に対応する支梁（１０７）を複数準備しなければならないので経済的ではなく、また、吊り上げ作業時には毎回フリューム（１）の幅に対応する支梁（１０７）を選択しなければならず効率的ではないという問題があった。
【０００９】
【特許文献１】
特開平９−２７８３５２号公報（第２頁、第３図）
【００１０】
【特許文献２】
特開平１１−３２２２５６号公報（第２−３頁、第９図）
【００１１】
【発明が解決しようとする課題】
そこで、この発明の主たる課題は、簡単な操作でコンクリート製のフリュームなどに着脱することができ、かつ、フリュームにダメージを与えることなく、これらを狭い設置面積でも安全に設置することができる吊り治具を提供することである。
【００１２】
【課題を解決するための手段】
請求項１に記載した発明は、「コンクリート製のフリューム（１４）などを吊り上げる際に、該フリューム（１４）などの側壁（１４ａ）に穿設された開孔（１４ｂ）に挿入して使用する吊り治具であって、（ａ）筒状のケーシング（１６ａ）と、ケーシング（１６ａ）の長手方向一端に設けられフリューム（１４）に当接する板状の突き当て部（２４）と、ケーシング（１６ａ）の外周面に立設され吊環（２６ａ）が形成された吊り部（２６）と、ケーシング（１６ａ）の長手方向に沿って形成されたガイド長孔（２８）とを有する吊り部本体（１６）、（ｂ）吊り部本体（１６）内に進退可能に挿通され、開孔（１４ｂ）に挿入される挿入側先端部（３０）に枢着軸（４４）にて回転可能に枢着されたロック部材（２２）と、長手方向中央部から後部方向に螺設された雄ネジ部（３２）と、ガイド長孔（２８）にスライド可能にて係合するピン（３４）とを有するシャフト（１８）  、および（ｃ）雄ネジ（３２）に螺合して、フリューム（１４）をロック部材（２２）と突き当て部（２４）にて挾持した時に吊り部本体（１６）の緩み方向への変位を規制する規制ナット（２０）を具備し、（ｄ）ロック部材（２２）は、枢着軸（４４）より先端側の部分（Ｙ）の重量が枢着軸（４４）より後端側（Ｘ）の部分の重量より重く形成され、且つロック部材（２２）がシャフト（１８）に対して同軸方向となった時にロック部材（２２）の後端がシャフト（１８）に設けられた回転止め（３０ａ）に係合して一方向への回転が規制される係合部（４０）が設けられている」ことを特徴とするものである。
【００１３】
この発明では、まず、吊り部（２６）が吊り部本体（１６）の下側となるように吊り治具（１０）を位置決めすると、該枢着軸（４４）より先端側（Ｙ）が重くなるようにシャフト（１８）の挿入側先端部（３０）に取り付けたロック部材（２２）がその先端を下方へ向けて回転しようとする。この際、係合部（４０）が回転止め（３０ａ）と係合してロック部材（２２）の回転を規制するので、シャフト（１８）の中心軸とロック部材（２２）の中心軸とが同軸方向になる。このため、ロック部材（２２）ならびにシャフト（１８）先端の切欠き部（３０）をコンクリート二次製品などの側壁（１４ａ）に設けられた開孔（１４ｂ）に挿通させることができる。
【００１４】
続いて、吊り部（２６）が吊り部本体（１６）の下側となるように位置決めした吊り治具（１０）のロック部材（２２）ならびシャフト（１８）の挿入側先端部（３０）を開孔（１４ｂ）に挿通した後、吊り部（２６）が上側を向くように吊り部本体（１６）を回すと、ガイド長孔（２８）に係合するピン（３４）を介してシャフト（１８）に回転力が伝わり、吊り部本体（１６）の回転に伴ってシャフト（１８）も回転する。すると、枢着軸（４４）より先端側（Ｙ）が重くなるように取り付けられ、かつ、枢着軸（４４）より後端側（Ｘ）に係合部（４０）が形成されたロック部材（２２）は、係合部（４０）と回転止め（３０ａ）との係合を解除する方向へ回転し、シャフト（１８）の中心軸とロック部材（２２）の中心軸とが略直交するようになる。
【００１５】
そして、この状態で吊り部本体（１６）の突き当て部（２４）とロック部材（２２）の側面とをフリューム（１４）  などの側壁（１４ａ）に両側から当接させて、これを挾持するとともに、シャフト（１８）の雄ネジ部（３２）に規制ナット（２０）を螺合してフリューム（１４）  などの側壁（１４ａ）を挾持した吊り部本体（１６）とロック部材（２２）とが緩み方向へ変位しないように固定する。
【００１６】
これにより、フリューム（１４）  などを吊り上げた際に、その開孔（１４ｂ）から吊り治具（１０）が脱落するのを防止できるとともに、開孔（１４ｂ）や側壁（１４ａ）の特定部分に応力が集中しないため、クラックなどの吊り上げ作業に伴うフリューム（１４）  などの破損を防止することができる。
【００１７】
【発明の実施の形態】
以下、本発明に係る実施例を図面を参照しつつ説明する。この発明の一実施例（図１〜７）の吊り治具（１０）は、特に、溝（１２）に設置されて用水路や排水路として使用されるフリューム（１４）などを吊り上げる際に、該フリューム（１４）の側壁（１４ａ）に設けられた開孔（１４ｂ）に装着するものであり、吊り部本体（１６）、シャフト（１８）、規制ナット（２０）およびロック部材（２２）などで構成されている。
【００１８】
吊り部本体（１６）は、筒状のケーシング（１６ａ）を有し、ケーシング（１６ａ）の長手方向一端には、吊り治具（１０）をフリューム（１４）の開孔（１４ｂ）に取り付けた際にその側壁（１４ａ）に当接する板状の突き当て部（２４）が固着されている。この突き当て部（２４）におけるフリューム（１４）の側壁（１４ａ）と当接する面には、フリューム（１４）の側壁（１４ａ）に傷をつけないように、ウレタンゴムなどの弾性材料（２４ａ）が接着もしくは焼付けられたパッド（２４ｂ）が、ネジ（２４ｃ）で交換可能に取り付けられている。このため、パッド（２４ｂ）の弾性材料（２４ａ）が痛んだ際には直ちにパッド（２４ｂ）を交換することができる。
【００１９】
また、このケーシング（１６ａ）の外周面には、吊環（２６ａ）を有する吊り部（２６）が突設されており、さらに、ケーシング（１６ａ）の外周面の互いに対向する位置には、長手方向に沿って延ばされた一組の長孔状のガイド長孔（２８）が形成されている。
【００２０】
シャフト（１８）は、吊り部本体（１６）のケーシング（１６ａ）内に進退可能となるように配設された長尺棒状の部材である。
【００２１】
このシャフト（１８）の挿入側先端部（３０）には、両側面の肉が切欠され、シャフト（１８）の中心軸に対して傾斜し、かつ、その斜辺が吊り部（２６）側へ向かって傾斜した斜面を有する回転止め（３０ａ）が形成されており、また、その長手方向中央部から後部方向に向けて雄ネジ部（３２）が螺設されている。なお、回転止め（３０ａ）が形成されたシャフト（１８）の挿入側先端部（３０）には、後述する枢着軸（４４）が挿通される軸止孔（図示せず）が、シャフト（１８）の軸方向に対して略直交するように孔設されている。
【００２２】
そして、シャフト（１８）の挿入側先端部（３０）と雄ネジ部（３２）との間のシャフト（１８）の側面には、ガイド長孔（２８）にスライド可能にて係合してシャフト（１８）の進退を案内するとともに、シャフト（１８）の回転を規制する一対のピン（３４）が取り付けられている。また、シャフト（１８）の挿入側先端部（３０）の反対側の端部（すなわち後端）には、規制ナット（２０）の脱落を防止するため、円盤状のストッパ部材（３６）がネジ（３８）で止められている。
【００２３】
規制ナット（２０）は、シャフト（１８）の雄ネジ部（３２）に螺合することによって、吊り部本体（１６）が雄ネジ部（３２）の緩み方向へ変位しないように、その変位を規制するものである。
【００２４】
ロック部材（２２）は、吊り治具（１０）をフリューム（１４）の開孔（１４ｂ）に取り付けて使用する際、フリューム（１４）の側壁（１４ａ）と当接する短尺棒状の部材であり、上述した突き当て部（２４）と協働してフリューム（１４）の側壁（１４ａ）を挾持するものである。
【００２５】
ロック部材（２２）の長手方向中央部から一端側には、ロック部材（２２）の中心軸に沿って幅方向の肉が切欠され、シャフト（１８）の挿入側先端部（３０）が収脱可能になるとともに、その一端側先端の両側面に、該中心軸に対して傾斜し、かつ、シャフト（１８）の回転止め（３０ａ）に係脱する斜面を有する係合部（４０）が形成されている。
【００２６】
また、ロック部材（２２）の長手方向中央部には、ロック部材（２２）の中心軸と直交するように枢着孔（４２）が貫通されている。
【００２７】
そして、この枢着孔（４２）とシャフト（１８）の挿入側先端部（３０）の軸止孔（図示せず）には、枢着軸（４４）が挿通されており、これにより、ロック部材（２２）がシャフト（１８）の挿入側先端（３０）にて枢着軸（４４）を支点（Ｐ）として回転可能に取り付けられている。なお、シャフト（１８）とロック部材（２２）とを連結する枢着軸（４４）は、枢着孔（４２）および軸止孔から脱落しないように、抜止ネジ（４６）によって固定されている。
【００２８】
ここで、枢着軸（４４）によってシャフト（１８）の挿入側先端部（３０）に取り付けられたロック部材（２２）は、シャフト（１８）の回転止め（３０ａ）と係合する係合部（４０）が設けられた長手方向一端側すなわち枢着軸（４４）より後端側（Ｘ）の肉が切欠されているので、支点（Ｐ）がロック部材（２２）の長手方向中央部に設けられているものの、枢着軸（４４）より先端側（Ｙ）の重量が重くなるように取り付けられている。このため、ロック部材（２２）は、その重量配分から、常に、枢着軸（４４）つまり支点（Ｐ）より先端側（Ｙ）が下側を向くように回転しようとする。しかしながら、シャフト（１８）の挿入側先端部（３０）には、シャフト（１８）の中心軸に対して傾斜し、かつ、その斜辺が吊り部（２６）側へ向かって傾斜した斜面を有する回転止め（３０ａ）が設けられているので、吊り部（２６）が吊り部本体（１６）の下側となるように位置決めすると、ロック部材（２２）は、枢着軸（４４）より先端側（Ｙ）が下側を向くように回転するが、ロック部材（２２）の係合部（４０）がシャフト（１８）の回転止め（３０ａ）に係合してシャフト（１８）の中心軸とロック部材（２２）の中心軸とが同軸となる位置でロック部材（２２）の回転が阻止される。
【００２９】
また、これとは逆に、吊り部（２６）が吊り部本体（１６）の上側となるように位置決めすると、ロック部材（２２）は、枢着軸（４４）より先端側（Ｙ）が下側を向くように回転するので、係合部（４０）と回転止め（３０ａ）との係合が解除され、ロック部材（２２）が回転可能となり、ロック部材（２２）の枢着軸（４４）より先端側（Ｙ）が下側を向く、つまり、シャフト（１８）の中心軸とロック部材（２２）の中心軸とが略直交するようになる。
【００３０】
図８を参照して、本発明の吊り治具（１０）を用いてフリューム（１４）を吊り上げる際には、まず、シャフト（１８）の後端に取り付けたストッパ部材（３６）が吊り部本体（１６）に近接するようにシャフト（１８）を吊り部本体（１６）側に向けて押し込み、吊り部（２６）が吊り部本体（１６）の下側となるように位置決めする。すると、枢着軸（４４）より先端側（Ｙ）が重くなるように枢着軸（４４）にてシャフト（１８）の挿入側先端部（３０）に取り付けられたロック部材（２２）がその先端側（Ｙ）を下方へ向けて回転しようとする。しかしながら、係合部（４０）が回転止め（３０ａ）と係合してロック部材（２２）の回転を規制するので、シャフト（１８）の中心軸とロック部材（２２）の中心軸とが同軸な状態すなわちシャフト（１８）とロック部材（２２）とが面一となる（図８（Ａ））。
【００３１】
続いて、上述のように位置決めした吊り治具（１０）のロック部材（２２）ならびシャフト（１８）の挿入側先端部（３０）をフリューム（１４）の開孔（１４ｂ）に挿通するとともに、突き当て部（２４）のパッド（２４ａ）が開孔（１４ｂ）周辺の側壁（１４ａ）に当接するように配置して（図８（Ｂ））、吊り部（２６）が上側を向くように吊り部本体（１６）を回転させる（図８（Ｃ））。すると、このときガイド長孔（２８）に係合するピン（３４）を介してシャフト（１８）に回転力が伝わり、吊り部本体（１６）の回転に伴ってシャフト（１８）も回転するので、枢着軸（４４）より先端側（Ｙ）が重くなるように取り付けられたロック部材（２２）が係合部（４０）と回転止め（３０ａ）との係合を解除する方向へ回転し、シャフト（１８）の中心軸とロック部材（２２）の中心軸とが略直交するようになる。
【００３２】
そして、吊り部本体（１６）の突き当て部（２４）をフリューム（１４）の側壁（１４ａ）に当接させたままの状態で、シャフト（１８）後端のストッパ部材（３６）が吊り部本体（１６）から離間するようにシャフト（１８）を引っ張り、突き当て部（２４）とロック部材（２２）の側面とでフリューム（１４）の側壁（１４ａ）を挾持した後（図８（Ｄ））、シャフト（１８）の雄ネジ部（３２）に規制ナット（２０）を螺合して側壁（１４ａ）を挾持した吊り部本体（１６）とロック部材（２２）とが変位しないように固定する（図８（Ｅ））。
【００３３】
これにより、図１に示すように、吊環（２６ａ）にワイヤー（５０）などを玉掛けした後、図示しないクレーンなどの吊り上げ手段を用いることによって、フリューム（１４）を吊り上げて、これを移動させることができる。
【００３４】
なお、フリューム（１４）の開孔（１４ｂ）に取り付けた吊り治具（１０）を取り外す際には、上述した手順を逆に行なえばよい。
【００３５】
具体的には、図９に示すように、まず、雄ネジ部（３２）に螺合した規制ナット（２０）を取り外し（図９（Ａ））、ストッパ部材（３６）が吊り部本体（１６）に近接するようにシャフト（１８）を吊り部本体（１６）側（すなわち側壁（１４ａ）側）に向けて押し込み、側壁（１４ａ）に当接しているロック部材（２２）と開孔（１４ｂ）内に位置するシャフト（１８）の挿入側先端部（３０）とを開孔（１４ｂ）から離間させる（図９（Ｂ））。
【００３６】
続いて、吊り部本体（１６）の吊り部（２６）が下側を向くように吊り部本体（１６）を回転させる。このとき、ガイド長孔（２８）に係合するピン（３４）が吊り部本体（１６）の回転力をシャフト（１８）に伝えるので、吊り部本体（１６）の回転に伴ってシャフト（１８）も回転する。すると、シャフト（１８）の挿入側先端部（３０）に取り付けられたロック部材（２２）は枢着軸（４４）より先端側（Ｙ）を下方へ向けて回転しようとするが、係合部（４０）が回転止め（３０ａ）と係合して、ロック部材（２２）がそれ以上に回転するのを規制し、シャフト（１８）とロック部材（２２）とを面一にする（図９（Ｃ））。
【００３７】
そして、この状態のまま、吊り部本体（１６）をフリューム（１４）の側壁（１４ａ）から離間させ、開孔（１４ｂ）に挿通したシャフト（１８）の切欠き部（３０）とロック部材（２２）とを引き抜くことで、吊り治具（１０）をフリューム（１４）の開孔（１４ｂ）から取り外すことができる（図９（Ｄ））。
【００３８】
本実施例によれば、吊り部本体（１６）の吊り部（２６）の位置を上向きもしくは下向きに変位させるという簡単な操作だけで、シャフト（１８）の先端に取り付けたロック部材（２２）の向きを変えることができ、溝（１２）の側面とフリューム（１４）の側壁（１４ａ）との間の距離や、地表から溝（１２）に設置されたフリューム（１４）の開孔（１４ｂ）までの深さに関係なく、開孔（１４ｂ）に吊り治具（１０）を着脱することができる。
【００３９】
また、このように溝（１２）の側面とフリューム（１４）の側壁（１４ａ）との間の距離が短くてもフリューム（１４）の開孔（１４ｂ）に吊り治具（１０）を着脱できることから、フリューム（１４）を運搬するためフリューム（１４）を吊り上げてトラックの荷台に積載する際、フリューム（１４）同士を隙間なく荷台に積載することができ、さらに、フリューム（１４）をトラックの荷台等から資材置場などに下ろす際にも当該吊り治具（１０）をそのまま用いれば、荷台から下ろしたフリューム（１４）を資材置場などに隙間なく置くことができる。このため、フリューム（１４）の運搬や保管を効率的に行うことができる。
【００４０】
また、シャフト（１８）の雄ネジ部（３２）に規制ナット（２０）を螺合して、フリューム（１４）の側壁（１４ａ）を挾持した吊り部本体（１６）とロック部材（２２）とが緩み方向へ変位しないように固定しているので、フリューム（１４）の開孔（１４ｂ）から吊り治具（１０）が脱落するのを防止できる。
【００４１】
さらに、突き当て部（２４）とロック部材（２２）の側面とがフリューム（１４）の側壁（１４ａ）に当接するとともに、これを挾持しているので、開孔（１４ｂ）や側壁（１４ａ）の特定部分に応力が集中せず、クラックなどの吊り上げ作業に伴うフリューム（１４）の破損を防止することができる。
【００４２】
したがって、簡単な操作でフリューム（１４）に着脱することができ、かつ、吊り上げるフリューム（１４）にダメージを与えることなく、これらを狭い設置面積の溝（１２）にも安全に設置することができる。
【００４３】
なお、上述の実施例では、吊り部本体（１６）の互いに対向する位置に一組のガイド長孔（２８）を設けるとともに、各ガイド長孔（２８）それぞれにピン（３４）を係合させる例を示したが、ガイド長孔（２８）にピン（３４）が係合してシャフト（１８）の回転を規制できるものであれば、ガイド長孔（２８）およびこれに係合するピン（３４）の数はこれに限られるものではなく、例えばガイド長孔（２８）およびピン（３４）はそれぞれ一つであってもよい。
【００４４】
また、シャフト（１８）の挿入側先端（３０）に設ける回転止め（３０ａ）として、シャフト（１８）の両側面の肉が切欠され、シャフト（１８）の中心軸に対して傾斜し、かつ、その斜辺が吊り部（２６）側へ向かって傾斜した斜面を有するものを示したが、回転止め（３０ａ）は、ロック部材（２２）の係合部（４０）と係合してロック部材（２２）の一方向への回転を阻止し、吊り部（２６）を吊り部本体（１６）の上側に位置決めした際にシャフト（１８）の中心軸とロック部材（２２）の中心軸とを同軸に保持できるものであれば、その形状はいかなるものであってもよく、例えば、図示しないがシャフト（１８）の中心軸に沿って挿入側先端部（３０）の幅方向（上下方向）の肉が切欠され、シャフト（１８）の中心軸に対して傾斜し、かつ、その斜辺が吊り部（２６）側へ向かって傾斜した斜面を有する凹状のものや、ロック部材（２２）の一方向への回転を規制する突起状のものであってもよい。なお、回転止め（３０ａ）の形状が変われば、これに対応してロック部材（２２）の係止部（４０）の形状も変わるのは言うまでもない。
【００４５】
そして、上述の例では、本発明の吊り治具（１０）を用いて断面Ｕ字状のフリューム（１４）を吊り上げる例を示したが、本発明の吊り治具（１０）を用いる対象はこれに限定されるものではなく、例えば、側壁に開孔を有するＬ字溝など、側壁に開孔を有するものであればその形状はどのようなものであってもよく、また、その材質はコンクリート製のものだけでなく金属製のものなど、重量物であれば如何なる材質であってもよい。
【００４６】
【発明の効果】
本発明によれば、吊り部本体の吊り部の位置を上向きもしくは下向きに変位させるという簡単な操作だけで、吊り治具をフリュームに設けられた開孔に着脱することができる。
【００４７】
また、吊り治具を開孔に取り付けた際には、シャフトの雄ネジ部に規制ナットを螺合して、フリュームの側壁を挾持した吊り部本体とロック部材とが緩み方向へ変位しないように固定しているので、フリュームの開孔から吊り治具が脱落するのを防止できる。
【００４８】
そして、突き当て部とロック部材の側面とがフリュームの側壁に当接するとともに、これを挾持しているので、開孔や側壁の特定部分に応力が集中せず、吊り上げ作業に伴うコンクリート二次製品の破損を防止することができる。
【００４９】
したがって、簡単な操作でフリュームなどのコンクリート二次製品に着脱することができ、かつ、吊り上げるコンクリート二次製品等にダメージを与えることなく、これらを狭い設置面積でも安全に設置することができる吊り治具を提供することができる。
【図面の簡単な説明】
【図１】本発明の一実施例の吊り治具の使用態様を示す説明図である。
【図２】本発明の一実施例の吊り治具を示す正面図である。
【図３】本発明の一実施例の吊り治具を示す上面図である。
【図４】本発明の一実施例の吊り治具を示す底面図である。
【図５】本発明の一実施例の吊り治具を示す右側面図である。
【図６】本発明の一実施例の吊り治具を示す左側面図である。
【図７】図３のＡ−Ａ線断面図である。
【図８】本発明の一実施例の吊り治具の使用方法（装着時）を示す説明図である。
【図９】本発明の一実施例の吊り治具の使用方法（脱着時）を示す説明図である。
【図１０】従来の吊り治具の一態様を示す説明図である。
【図１１】従来の吊り治具の他の態様を示す説明図である。
【図１２】従来の吊り治具の他の態様を示す説明図である。
【符号の説明】
（１０）・・・吊り治具
（１２）・・・溝
（１４）・・・フリューム
（１４ａ）・・・（フリュームの）側壁
（１４ｂ）・・・開孔
（１６）・・・吊り部本体
（１６ａ）・・・ケーシング
（１８）・・・シャフト
（２０）・・・規制ナット
（２２）・・・ロック部材
（２４）・・・突き当て部
（２６）・・・吊り部
（２６ａ）・・・吊環
（２８）・・・ガイド長孔
（３０）・・・挿入側先端部
（３０ａ）・・・回転止め
（３２）・・・雄ネジ部
（３４）・・・ピン
（３６）・・・ストッパ部材
（３８）・・・ネジ
（４０）・・・係合部
（４２）・・・枢着孔
（４４）・・・枢着軸
（４６）・・・抜止ネジ
（Ｐ）・・・支点
【図１】
2004352420.tif 000003
【図２】
2004352420.tif 000004
【図３】
2004352420.tif 000005
【図４】
2004352420.tif 000006
【図５】
2004352420.tif 000007
【図６】
2004352420.tif 000008
【図７】
2004352420.tif 000009
【図８】
2004352420.tif 000010
【図９】
2004352420.tif 000011
【図１０】
2004352420.tif 000012
【図１１】
2004352420.tif 000013
【図１２】
2004352420.tif 000014